(57)【要約】【課題】  撮影画像を確認しながら撮影を行えるデジタルカメラを提供する。【解決手段】  レリーズボタンにタッチセンサを設け、撮影の準備操作として撮影者の指がタッチセンサに触れると、タッチセンサから検知信号が出力される構造とした。すなわち、撮影モード時においてレリーズボタンが全押しされると被写体画像の撮影が行われる（ステップＳ５）。表示制御回路は、ステップＳ５で撮影した撮影画像を表示パネルに表示し（ステップＳ６）、タッチセンサから検知信号が入力したか否かを判定する（ステップＳ７）。ここで、表示制御回路は、タッチセンサからの検知信号がなかったと判定した場合には、継続的に撮影画像を表示パネルに表示させる（ステップＳ６）。一方、表示制御回路は、タッチセンサからの検知信号があったと判定した場合には、撮影画像の表示を、例えばスルー画像に切り替える。【選択図】        図４
2007049371.tif 000002
【特許請求の範囲】
【請求項１】
被写体画像を撮影する撮影手段で撮影した直後の撮影画像を表示パネルに表示させるようにしたデジタルカメラにおいて、
前記撮影が行われた後に次の撮影の準備操作が行われたことを検知して検知信号を出力する準備操作検知手段と、
前記撮影が行われてから前記検知信号が入力するまでの期間は前記表示パネルに前記撮影画像を表示させる表示制御手段とを備えたことを特徴とするデジタルカメラ。
【請求項２】
前記撮影手段は、シャッターレリーズ操作が継続して行われている間、連続的に撮影を行うことが可能であって、前記表示制御手段は、前記撮影手段による連続撮影が終了してから前記検知信号が入力するまでの期間に、連続撮影された前記撮影画像を前記表示パネルに順次表示させることを特徴とする請求項１記載のデジタルカメラ。
【請求項３】
被写体画像を撮影する撮影手段で撮影した直後の撮影画像を表示パネルに表示させるようにしたデジタルカメラの撮影画像表示制御方法において、
前記撮影が行われた後に次の撮影の準備操作が行われたことを検知し、前記撮影が行われてから前記準備操作が行われたことが検知されるまでの期間は、前記表示パネルに前記撮影画像を表示させることを特徴とするデジタルカメラの撮影画像表示制御方法。
【発明の詳細な説明】
【技術分野】
【０００１】
本発明は、被写体画像を撮影する撮影モードと、撮影モード時に撮影した撮影画像を表示パネルに再生表示する再生モードとを有するデジタルカメラに関する。
【背景技術】
【０００２】
デジタルカメラは、被写体画像の撮影を行う撮影モードと、撮影モード時に撮影した撮影画像をカメラボディに備えた表示パネルに再生表示する再生モードとを備えている。撮影モード及び再生モードの切り替えは、カメラボディに設けられているモード切替スイッチによって行われる。
【０００３】
しかし、撮影者は、被写体画像を撮影した後に撮影画像のピントやブレ、構図等を確認するときには、モード切替スイッチを操作してデジタルカメラを撮影モードから再生モードに切り替える作業を行わなければならなかった。このため、撮影者によっては、モード切替スイッチの操作を煩わしく感じ、撮影毎に撮影画像の確認をせず、数カット撮影した後にまとめて撮影画像を確認することがあった。このように、撮影画像を数カットまとめて確認した場合には、撮影者は、撮影画像を確認する回数が減るので操作の煩わしさは軽減できるものの、撮影ミスが生じていることに気がつかないまま次の撮影を行う恐れがあるため、撮影ミスを減少させることが困難であるという問題があった。
【０００４】
そこで、このような問題を解決するため、撮影者が頻繁に使用するレリーズボタンに、モード切替ボタンの代わりとして接触センサを設けておき、撮影者がレリーズボタンに触れて接触センサから検知信号が出力されている場合には、デジタルカメラを撮影モードに変更し、撮影者がレリーズボタンに触れておらず、接触センサから検知信号が出力されていない場合には、デジタルカメラを再生モードに変更するデジタルカメラが特許文献１に記載されている。
【特許文献１】特開２００４−４０６０２号公報
【発明の開示】
【発明が解決しようとする課題】
【０００５】
しかしながら、従来のデジタルカメラは、撮影モードと再生モードとを切り替える場合には、レリーズボタンに触れたり、モード切替スイッチを押圧操作する等の操作が必要である。このため、撮影者が撮影画像のピント等を確認する際には、何らかの操作をして表示パネルに撮影画像を表示させなければならない。したがって、撮影画像を表示させる際の操作の煩雑さが解消されていないという問題がある。また、従来のデジタルカメラの場合には、撮影後に撮影画像を一定時間（例えば２秒間）だけ表示できるものもあるが、撮影画像を表示パネルに表示させるか否かは撮影者が任意に設定することができるので、撮影者によっては、１コマ毎に撮影画像の確認をせず、ある程度撮影した後に撮影画像の確認を行うことがある。このような場合には、撮影者は、撮影画像のピントがずれていたり、ブレていることに気がつかないまま撮影を行い、撮影後に撮影ミスに気づくことになる。このように、撮影画像の表示を撮影者が任意に行えるようにすると、撮影ミスを解消する機会を失いがちになるという問題がある。また、撮影後に撮影画像を表示パネルに一定時間表示させていたとしても、撮影者が撮影画像を確認している間に撮影画像が表示されなくなることもある。このような場合には、撮影者はモード切替スイッチを操作して再生モードに切り替えてから、再度撮影画像の確認をしなければならないので、撮影画像の確認作業に手間がかかるという問題がある。
【０００６】
本発明は、これらの問題を解決するためになされたもので、撮影者が簡単に撮影画像を確認できるデジタルカメラを提供することを目的とする。
【課題を解決するための手段】
【０００７】
上記問題点を解決するにあたり、本発明のデジタルカメラは、被写体画像を撮影する撮影手段で撮影した直後の撮影画像を表示パネルに表示させるようにしたデジタルカメラにおいて、前記撮影が行われた後に次の撮影の準備操作が行われたことを検知して検知信号を出力する準備操作検知手段と、前記撮影が行われてから前記検知信号が入力するまでの期間は前記表示パネルに前記撮影画像を表示させる表示制御手段とを備えたことを特徴とする。なお、「準備操作」とは、撮影者が撮影前に行う動作のことをいい、例えば、撮影者が指をレリーズボタンに触れさせる動作や、撮影者が予め定められている特定のボタンを操作する動作等が挙げられる。
【０００８】
なお、前記撮影手段は、シャッターレリーズ操作が継続して行われている間、連続的に撮影を行うことが可能であって、前記表示制御手段は、前記撮影手段による連続撮影が終了してから前記検知信号が入力するまでの期間に、連続撮影された前記撮影画像を前記表示パネルに順次表示させることが好ましい。
【０００９】
また、本発明のデジタルカメラの撮影画像表示制御方法は、被写体画像を撮影する撮影手段で撮影した直後の撮影画像を表示パネルに表示させるようにしたデジタルカメラの撮影画像表示制御方法において、前記撮影が行われた後に次の撮影の準備操作が行われたことを検知し、前記撮影が行われてから前記準備操作が行われたことが検知されるまでの期間は、前記表示パネルに前記撮影画像を表示させることを特徴とする。
【発明の効果】
【００１０】
本発明のデジタルカメラによれば、撮影者が撮影を行うと、撮影が行われてから準備操作検知手段からの検知信号が表示制御手段に入力するまでの期間、直前に撮影した撮影画像を表示パネルに表示させるので、撮影者は、撮影画像が思い通りに撮影されているか否かを確認しながら撮影することができる。したがって、後から撮影画像を確認して撮影ミスに気が付くようなことを減らすことが可能になる。また、本発明のデジタルカメラによれば、撮影者は、撮影した撮影画像を表示パネルに表示する際にモード切替ボタン等を操作しなくてもよいので、撮影画像の確認時における操作性を向上させることが可能になる。さらに、撮影手段が撮影を行った後から表示制御手段が準備操作検知手段からの検知信号を受けるまでの期間、撮影画像を表示パネルに表示させるので、撮影者は、撮影画像を確認後に撮影を行う場合には、レリーズボタン等に触れる等のような次の撮影の準備操作をすればよく、表示パネルの表示を切り替える特別の操作を必要としない。したがって、デジタルカメラの操作性を向上させることが可能になる。
【発明を実施するための最良の形態】
【００１１】
図１に示すように、本発明を適用したデジタルカメラ１１は、略直方体のカメラボディ１２の前面にレンズバリア１３、撮影レンズ１４、ストロボ装置１５を備えている。レンズバリア１３は、撮影レンズ１４及びストロボ装置１５を覆う閉じ位置と、撮影レンズ１４及びストロボ装置１５を露呈させる開き位置との間でスライド移動するように設けられている。撮影レンズ１４は、その後方に位置付けられたＣＣＤイメージセンサ（図３参照）の受光面に被写体画像を結像させるように構成されている。ストロボ装置１５は、例えば夜間撮影時のように被写体が暗い場合に、後述するレリーズボタン１７の押圧操作と連動して瞬間的に発光するように構成されている。
【００１２】
また、デジタルカメラ１１は、カメラボディ１２の上面に電源スイッチ１６及びレリーズボタン１７を備えている。レリーズボタン１７は、半押しと全押しの操作が可能な２段階押しのスイッチによって構成されている。レリーズボタン１７が半押しされると、スルー画像を撮影している時より高精度なＡＥ（Ａｕｔｏ  Ｅｘｐｏｓｕｒｅ）及びＡＦ（Ａｕｔｏ  Ｆｏｃｕｓ）が行われて、撮影レンズ１４の焦点が固定される。この状態でレリーズボタン１７が全押しされると、半押し時に決定されたＡＥ及びＡＦの条件で撮影が行われるようになっている。また、レリーズボタン１７には、レリーズボタン１７へのタッチ操作を検知するタッチセンサ（準備操作検知手段）１８が設けられている。タッチセンサ１８は、指の接触を検知した場合、すなわち、撮影者がレリーズボタン１７をタッチ操作した場合に検知信号を出力するようになっている。
【００１３】
図２に示すように、デジタルカメラ１１は、カメラボディ１２の裏面にファインダー１９、表示パネル２０、モード切替ボタン２１、ズーム操作スイッチ２２、メニューボタン２３、実行ボタン２４、キャンセルボタン２５を備えている。表示パネル２０は液晶パネルからなり、被写体画像の撮影を行う撮影モード時にはスルー画像や静止画像が表示され、後述するメモリカード５０に記録されている画像を再生する再生モード時には、メモリカード５０から読み出した画像データの撮影画像を表示する。
【００１４】
モード切替ボタン２１は、プッシュ式のボタンからなり、撮影モード、連続撮影モード又は再生モードの切替操作を行うために設けられている。撮影モード、連続撮影モード又は再生モードの切替は、モード切替ボタン２１が押圧操作される毎に行われる。なお、モード切替ボタン２１は、プッシュ式のボタン以外のものを使用してもよいことは勿論である。
【００１５】
ズーム操作スイッチ２２は、上下方向に操作可能なレバースイッチで構成され、これを上方向に操作するとテレ側に、下方向に操作するとワイド側に撮影レンズ１４がズーミングされる。メニューボタン２３は、撮影モード及び再生モードの定常画面からメニュー画面へ遷移させるときに使用される。実行ボタン２４は、メニュー画面で選択した内容を確定する時に使用される。キャンセルボタン２５は、メニューから選んだ項目の取消しや１つ前の操作状態に戻すとき等に使用される。
【００１６】
次に、デジタルカメラ１１の電気的構成について説明する。図３に示すように、撮影レンズ１４にはフォーカスモータ３１が接続されている。フォーカスモータ３１はステッピングモータからなり、後述するＣＰＵ５１に接続されたモータドライバ３２から送信される駆動パルスにより動作制御される。絞り３３には、アイリスモータ３４が接続されている。アイリスモータ３４はステッピングモータからなり、ＣＰＵ５１に接続されたモータドライバ３５から送信される駆動パルスにより絞り３３を動作させて露出の調整を行う。
【００１７】
撮影レンズ１４の背後には、ＣＣＤイメージセンサ（以下、ＣＣＤ３６という。）が配置されている。ＣＣＤ（撮影手段）３６には、ＣＰＵ５１によって制御されるタイミングジェネレータ（ＴＧ）３７が接続され、このＴＧ３７から入力されるタイミング信号（クロックパルス）により、電子シャッタのシャッタ速度が決定される。ＣＣＤ３６から出力された撮影信号は、相関二重サンプリング回路（ＣＤＳ）３８に入力され、ＣＣＤ３６の各セルの蓄積電荷量に正確に対応したＲ，Ｇ，Ｂの画像データとして出力される。ＣＤＳ３８から出力された画像データは、増幅器（ＡＭＰ）３９で増幅されＡ／Ｄ変換機（Ａ／Ｄ）４０でデジタルの画像データに変換される。
【００１８】
画像入力コントローラ４１は、バス４２を介してＣＰＵ５１に接続され、ＣＰＵ５１の制御命令に応じてＣＣＤ３６，ＣＤＳ３８，ＡＭＰ３９，Ａ／Ｄ４０を制御する。Ａ／Ｄ４０から出力された画像データは、ＲＡＭ４３に一時的に記録される。
【００１９】
画像信号処理回路４４は、ＲＡＭ４３から画像データを読み出して階調変換、ホワイトバランス調整、γ補正処理等の各種画像処理を行い、この画像データを再度ＲＡＭ４３に記録する。画像信号処理回路４４は、レリーズボタン１７が全押しされて撮影が行われた時には、ＲＡＭ４３から読み出した画像データに階調変換、ホワイトバランス調整、γ補正処理を行った第１画像データと、ＲＡＭ４３から読み出した画像データに階調変換、ホワイトバランス調整、γ補正処理を行った後に画像データを縮小するリサイズ処理を施した第２画像データとを生成してこれらの画像データをＲＡＭ４３に記録する。なお、画像信号処理回路４４は、撮影モード下においてレリーズボタン１７が全押しされていない場合には、第２画像データのみを生成してＲＡＭ４３に記録する。
【００２０】
ＹＣ変換処理回路４５は、撮影モード下においてレリーズボタン１７が全押しされて撮影が行われた時には、第１画像データ及び第２画像データをＲＡＭ４３から読み出し、これらの画像データを輝度信号Ｙと色差信号Ｃｒ，Ｃｂとに変換する。なお、撮影モード下においてレリーズボタン１７が全押しされていない場合には、第２画像データをＲＡＭ４３から読み出し、輝度信号Ｙと色差信号Ｃｒ，Ｃｂとに変換する。
【００２１】
ＶＲＡＭ４６は、表示パネル２０に撮影画像を出力するためのメモリである。ＶＲＡＭ４６は、画像信号処理回路４４、ＹＣ変換処理回路４５を経た第２画像データを格納する。ＶＲＡＭ４６に格納された第２画像データは、ドライバ４７でアナログのコンポジット信号に変換され、表示パネル２０に表示される。
【００２２】
圧縮伸張処理回路４８は、ＹＣ変換処理回路４５でＹＣ変換された第１画像データに対して、ＪＰＥＧ形式等の所定の圧縮形式で画像圧縮を行う。圧縮された第１画像データは、メディアコントローラ４９を経由してメモリカード５０に記録される。
【００２３】
ＣＰＵ５１は、表示制御回路（表示制御手段）５２を備えている。表示制御回路５２は、表示パネル２０に表示する画像の表示制御を行う。表示制御回路５２は、撮影モードの場合であって、レリーズボタン１７が全押しされていないときは、スルー画像を表示パネル２０に表示させ、レリーズボタン１７が全押しされたときは、撮影画像を表示パネル２０に表示させる。表示パネル２０に撮影画像を表示させているときに後述するタッチセンサ１８から検知信号がＣＰＵ５１に入力したときには、表示制御回路５２は表示パネル２０に表示させている画像を撮影画像からスルー画像に切り替える。
【００２４】
ＣＰＵ５１には、ＲＯＭ５３及び操作部５４が接続されている。ＲＯＭ５３は、デジタルカメラ１１を操作させる基本プログラム等を格納している。操作部５４は、レリーズボタン１７及びタッチセンサ１８を備えている。タッチセンサ１８は、撮影者が触れたか否かを検知しており、撮影者が触れたことを検知すると、ＣＰＵ５１に検知信号を出力する。また、これらのほかに、操作部５４は、電源スイッチ１６、レリーズボタン１７、モード切替ボタン２１、ズーム操作スイッチ２２、メニューボタン２３、実行ボタン２４、キャンセルボタン２５を備えている。
【００２５】
バス４２には、電子シャッタのシャッタ速度及び絞り値から求められる露出量と、ホワイトバランスが撮影に適切か否かを検出するＡＥ／ＡＷＢ検出回路５６が接続されている。ＡＥ／ＡＷＢ検出回路５６は、ＹＣ変換処理回路４５でＹＣ変換された画像データの輝度信号Ｙ及び色差信号Ｃｒ，Ｃｂの積算値を元に露出値及びホワイトバランスの適否を検出し、これらの検出結果をＣＰＵ５１に送信する。ＣＰＵ５１は、ＡＥ／ＡＷＢ検出回路５６から送信された検出結果に基づいて、撮影レンズ１４、絞り３３及びＣＣＤ３６の動作を制御する。
【００２６】
次に、撮影モード下におけるデジタルカメラ１１の動作について説明する。電源スイッチ１６がオンにされると、デジタルカメラ１１は、初期設定を行う。初期設定では、電源スイッチ１６がオンにされると、デジタルカメラ１１は撮影モードの処理を実行するように設定されている。図４に示すように、デジタルカメラ１１が撮影モードでの処理を開始すると、表示制御回路５２は、表示パネル２０にスルー画像を表示させる（ステップＳ１）。ＣＰＵ５１は、表示制御回路５２が表示パネル２０にスルー画像を表示させると、レリーズボタン１７が半押しされたか否かを判定する（ステップＳ２）。表示制御回路５２は、レリーズボタン１７が半押しされるまでの間は、スルー画像を表示パネル２０に継続して表示させる。このように、表示パネル２０にスルー画像が表示されているときに撮影者がレリーズボタン１７を半押しすると、ＣＰＵ５１は、表示パネル２０にスルー画像を表示していた時よりも高精度なＡＥ及びＡＦを行って、適正な露出及び焦点位置とするための絞り値及びフォーカスモータ３１の駆動量等をＲＡＭ４３に記録する（ステップＳ３）。これらの値は、撮影者がレリーズボタン１７を半押ししている間は維持されている。レリーズボタン１７が半押しされて絞り値及びフォーカスモータ３１の駆動量等が記録されると、ＣＰＵ５１は、さらにスルー画像を表示パネル２０に表示させる。
【００２７】
ＣＰＵ５１は、ステップＳ３において高精度なＡＥ及びＡＦを行うと、レリーズボタン１７が全押しされたか否かを判定する（ステップＳ４）。ＣＰＵ５１は、ステップＳ４においてレリーズボタン１７が全押しされていないと判定すると、一定時間経過後に再度レリーズボタン１７が全押しされたか否かを判定する（ステップＳ４）。一方、ＣＰＵ５１は、ステップＳ４においてレリーズボタン１７が全押しされたと判定すると撮影を行う（ステップＳ５）。表示制御回路５２は、ステップＳ５において撮影が行われると、撮影画像を表示パネル２０に表示させる（ステップＳ６）。表示制御回路５２は、撮影画像を表示パネル２０に表示させると、タッチセンサ１８から検知信号が出力されたか否かを判定する（ステップＳ７）。表示制御回路５２は、ステップＳ７においてタッチセンサ１８から検知信号が出力されていないと判定した場合には、撮影画像を表示パネル２０に表示した状態を維持する（ステップＳ７）。一方、表示制御回路５２は、ステップＳ７においてタッチセンサ１８から検知信号が出力されたと判定した場合には、スルー画像を表示パネル２０に表示させる（ステップＳ８）。なお、ＣＰＵ５１は、スルー画像を表示パネル２０に表示させた後、レリーズボタン１７が半押しされたか否かを一定の周期で判定する。
【００２８】
次に、連続撮影モード時のデジタルカメラ１１の動作について説明する。電源スイッチ１６がオンの状態のときにモード切替ボタン２１を押圧操作すると、ＣＰＵ５１は、モード切替ボタン２１が押圧操作される毎に、撮影モード、連続撮影モード及び再生モードを切り替える。撮影者が連続撮影モードになるようにモード切替ボタン２１を操作すると、ＣＰＵ５１は、連続撮影モードで処理を行うように設定する。
【００２９】
図５に示すように、デジタルカメラ１１が連続撮影モードに設定されると、表示制御回路５２は表示パネル２０にスルー画像を表示させる（ステップＳ１１）。ＣＰＵ５１は、表示制御回路５２が表示パネル２０にスルー画像を表示させると、レリーズボタン１７が半押しされたか否かを判定する（ステップＳ１２）。表示制御回路５２は、レリーズボタン１７が半押しされるまでの間は、スルー画像を表示パネル２０に継続して表示させる。このように、表示パネル２０にスルー画像が表示されているときに撮影者がレリーズボタン１７を半押しすると、ＣＰＵ５１は、表示パネル２０にスルー画像を表示していた時よりも高精度なＡＥ及びＡＦを行って、適正な露出及び焦点位置とするための絞り値及びフォーカスモータ３１の駆動量等をＲＡＭ４３に記録する（ステップＳ１３）。これらの値は、撮影者がレリーズボタン１７を半押ししている間は維持されている。レリーズボタン１７が半押しされて絞り値及びフォーカスモータ３１の駆動量等が記録されると、ＣＰＵ５１は、さらにスルー画像を表示パネル２０に表示させる。
【００３０】
ＣＰＵ５１は、ステップＳ１３において高精度なＡＥ及びＡＦを行った後に、レリーズボタン１７が全押しされたか否かを判定する（ステップＳ１４）。ＣＰＵ５１は、ステップＳ１４においてレリーズボタン１７が全押しされていないと判定した場合には、一定時間経過後に再度レリーズボタン１７が全押しされたか否かを判定する（ステップＳ１４）。一方、ＣＰＵ５１は、ステップＳ１４においてレリーズボタン１７が全押しされたと判定した場合には撮影を行う（ステップＳ１５）。ＣＰＵ５１は、ステップＳ１５において撮影を行った後、撮影後もレリーズボタン１７が全押しされているか否かを判定する（ステップＳ１６）。ＣＰＵ５１は、ステップＳ１６においてレリーズボタン１７が継続的に全押しされていると判定した場合には、ステップＳ１５に処理を移行して、例えば３コマ／秒の速度で撮影を行う。一方、ＣＰＵ５１は、ステップＳ１６においてレリーズボタン１７が全押しされていないと判定した場合には、表示制御回路５２に制御信号を出力する。
【００３１】
表示制御回路５２は、連続撮影を開始した撮影画像を順次表示パネル２０に表示させながら（ステップＳ１７）、タッチセンサ１８から検知信号が出力されたか否かを一定の周期で判定する（ステップＳ１８）。表示制御回路５２は、ステップＳ１８においてタッチセンサ１８から検知信号が出力されていないと判定した場合には、撮影画像の表示を継続して表示制御回路５２に行わせる（ステップＳ１７）。一方、表示制御回路５２は、ステップＳ１８においてタッチセンサ１８から検知信号が出力されたと判定した場合には、スルー画像を表示パネル２０に表示させる（ステップＳ１９）。なお、この場合には、ＣＰＵ５１は、スルー画像を表示パネル２０に表示させた後、レリーズボタン１７が半押しされたか否かを一定の周期で判定する。
【００３２】
次に、ステップＳ５及びＳ１５における撮影の処理について説明する。図６に示すように、撮影が行われると、ＣＣＤ３６から撮影信号が出力される（ステップＳ２１）。この撮影信号は、ＣＤＳ３８及びＡＭＰ３９を経てＡ／Ｄ４０においてデジタルの画像データに変換される（ステップＳ２２）。ＣＰＵ５１は、ステップＳ２２において変換された画像データをＲＡＭ４３に記録する。
【００３３】
ＣＰＵ５１は、画像データをＲＡＭ４３に記録すると、画像信号処理回路４４に制御信号を出力する。画像信号処理回路４４は、ＲＡＭ４３に記録された画像データを読み出した後、階調変換、ホワイトバランス調整、γ補正処理等を行って第１画像データを生成するほか、第１画像データにリサイズ処理を行って第２画像データを生成する（ステップＳ２３）。
【００３４】
ＣＰＵ５１は、画像信号処理回路４４がステップＳ２３の処理を行うと、第１画像データをＲＡＭ４３に記録する処理（ステップＳ２４）及びＲＡＭ４３から読み出した第１画像データにＹＣ変換処理及び圧縮伸張処理を行った後、メモリカード５０に書き込む処理（ステップＳ２５）と、第２画像データにＹＣ変換処理を行った後、ＶＲＡＭ４６に記録する処理（ステップＳ２６）及びＶＲＡＭ４６から読み出した第２画像データを表示パネル２０に表示する処理（ステップＳ２７）とを同時並行に行う。
【００３５】
なお、本形態では、図６に示すように撮影時の処理を行うこととしているが、撮影時の処理は例えば図７に示すように行ってもよい。以下において、撮影時における処理の別の例について説明する。図７に示すように、撮影が行われると、ＣＣＤ３６から撮影信号が出力される（ステップＳ３１）。この撮影信号は、ＣＤＳ３８及びＡＭＰ３９を経てＡ／Ｄ４０においてデジタルの画像データに変換される（ステップＳ３２）。ＣＰＵ５１は、ステップＳ３２において変換された画像データをＲＡＭ４３に記録する。
【００３６】
ＣＰＵ５１は、画像データをＲＡＭ４３に記録すると、画像信号処理回路４４に制御信号を出力する。画像信号処理回路４４は、ＲＡＭ４３に記録された画像データを読み出した後、階調変換、ホワイトバランス調整、γ補正処理等を行って第１画像データを生成する（ステップＳ３３）。そして画像信号処理回路４４は、第１画像データをＲＡＭ４３に記録する（ステップＳ３４）。
【００３７】
ＣＰＵ５１は、画像信号処理回路４４がステップＳ３３，Ｓ３４の処理を行うと、第１画像データをメモリカード５０に書き込む処理（ステップＳ３５）と並行して、以下の処理を行う。すなわち、ＣＰＵ５１は、ＲＡＭ４３から読み出した第１画像データにリサイズ処理を行って第２画像データを生成する処理（ステップＳ３６）、第２画像データをＶＲＡＭ４６に記録する処理（ステップＳ３７）、及びＶＲＡＭ４６から読み出した第２画像データをアナログのコンポジット信号に変換して、撮影画像として表示パネル２０に表示する処理（ステップＳ３８）をステップＳ３５の処理と同時並行に行う。
【００３８】
このように、画像信号処理回路４４で第１画像データ及び第２画像データを生成して、第１画像データをメモリカード５０に書き込む処理と、第２画像データをアナログのコンポジット信号に変換して表示パネル２０に撮影画像を表示させる処理とを同時並行に行うことによって、処理の迅速化を図ることができる。
【００３９】
次に、本実施形態のデジタルカメラ１１の変形例について説明する。なお、本実施形態のデジタルカメラ１１の変形例の説明において、既に説明したものと同一のものについては説明を省略し、符号も同一のものを使用する。図８に示すように、バス４２には、第１画像信号処理回路６１及び第２画像信号処理回路６２が接続されている。第１画像信号処理回路６１は、レリーズボタン１７が全押しされて撮影が行われると、ＲＡＭ４３に書き込まれている画像データを読み出して、ホワイトバランス調整、γ補正等の各種補正処理を行う。そして、第１画像信号処理回路６１は、各種補正処理を施した第１画像データを再度ＲＡＭ４３に書き込む。第２画像信号処理回路６２は、撮影モード下においてレリーズボタン１７が全押しされていないときには、画像データをＲＡＭ４３から読み出してホワイトバランス調整、γ補正等の各種補正処理、並びに画像データのサイズを縮小するリサイズ処理を施して画像データを生成する。
【００４０】
このような構成のデジタルカメラ１１は、撮影を行うときには次のように処理を行う。図９に示すように、撮影が行われると、ＣＣＤ３６から撮影信号が出力される（ステップＳ４１）。この撮影信号は、ＣＤＳ３８及びＡＭＰ３９を経てＡ／Ｄ４０においてデジタルの画像データに変換される（ステップＳ４２）。ＣＰＵ５１は、ステップＳ２２において変換された画像データをＲＡＭ４３に記録する。
【００４１】
ＣＰＵ５１は、ＲＡＭ４３に記録された画像データを第１画像信号処理回路６１及び第２画像信号処理回路６２に読み出させて、画像データをメモリカード５０に書き込む処理と撮影画像を表示パネル２０に表示させる処理とを同時並行に行う。なお、以下においては、画像データをメモリカード５０に書き込む処理の流れを説明した後に、撮影画像を表示パネル２０に表示させる処理の流れを説明する。
【００４２】
第１画像信号処理回路６１は、ＲＡＭ４３から読み出した画像データに階調変換、ホワイトバランス調整及びγ補正を行って第１画像データを生成する（ステップＳ４３）。そして、第１画像データをＲＡＭ４３に記録する（ステップＳ４４）。ステップＳ４４において記録された第１画像データは、ＹＣ変換処理回路４５によってＲＡＭ４３から読み出されてＹＣ変換処理が行われ、その後圧縮伸張処理回路４８で圧縮伸張処理を行われる。これらの処理が行われた第１画像データは、メモリカード５０に書き込まれる（ステップＳ４５）。
【００４３】
第２画像信号処理回路６２は、ＲＡＭ４３から読み出した画像データに階調変換、ホワイトバランス調整及びγ補正を行うほかに、画像データの縮小をするリサイズ処理を行って第２画像データを生成する（ステップＳ４６）。そして、第２画像信号処理回路６２は、第２画像データをＶＲＡＭ４６に一時的に記録する（ステップＳ４７）。ＶＲＡＭ４６に記録された画像データは、ドライバ４７でアナログのコンポジット信号に変換された後に表示パネル２０で表示される（ステップＳ４８）。
【００４４】
以上のように、本発明のデジタルカメラによれば、撮影した後に撮影画像が自動的に表示パネルに表示されるので、撮影者は煩雑な操作をすることなく撮影画像のピントやブレ等を確認することができる。また、表示パネルに表示された撮影画像は、撮影者がレリーズボタンに設けられているタッチセンサに触れる等してタッチセンサから検出信号が出力されない限りは表示パネルに表示されているので、撮影者が撮影画像の確認をしている間にスルー画像が表示されたり、又は、別の撮影画像が表示される等のような不具合も解消できる。したがって、撮影後、撮影画像の確認時におけるデジタルカメラの操作性を飛躍的に向上させることが可能になる。
【００４５】
なお、本実施形態のデジタルカメラでは、表示制御回路は、連続撮影モードで撮影画像を表示パネルに順次表示しているときにタッチセンサからの検知信号が出力されると、スルー画像を表示パネルに表示することとしているが、本発明はこれに限定されるものではなく、例えば一通りの撮影画像を順次表示し終えるまでは、タッチセンサから検知信号が出力されてもスルー画像の表示に切り替えないようにしてもよい。
【００４６】
また、撮影時における撮影画像の画像データの流れにおいて、撮影画像が表示パネルに表示されている間、デジタルカメラは一定の周期でスルー画像の画像データを生成するように処理を実行しても良いし、撮影画像が表示パネルに表示されている間はスルー画像の画像データを生成する処理を行わず、タッチセンサから検知信号が出力されたことをＣＰＵが検知したら再度スルー画像の画像データを生成する処理を行ってもよい。また、スルー画像の画像データを生成する処理を継続的に行っている場合であって表示パネルに撮影画像が表示されているときは、スルー画像の画像データをＶＲＡＭに書き込む処理まで行うこととしても良いし、画像信号処理回路がスルー画像の画像データを生成する処理を行わないようにしてもよい。
【００４７】
また、本実施形態のデジタルカメラによれば、レリーズボタンにタッチセンサを設けておき、撮影者がタッチセンサに触れると、表示制御手段は、その時に発する検知信号に基づいて撮影画像からスルー画像に切り替えることとしているが、本発明はこれに限定されるものではなく、他の操作が行われることによって上記の切替動作が行えるようにしても良い。例えば、撮影時の感度を調節するボタンが操作されたことを切替動作の契機としてもよいし、また、レリーズボタンが半押し又は全押しされたことを切替動作の契機としてもよく、撮影画像の表示からスルー画像の表示に切り替える契機となるボタンは適宜設定することが可能である。
【図面の簡単な説明】
【００４８】
【図１】本形態のデジタルカメラの外観を表した外観斜視図である。
【図２】デジタルカメラの外観を表した外観斜視図である。
【図３】デジタルカメラの電気的構成を表した電気ブロック図である。
【図４】撮影モード時におけるデジタルカメラの動作を表したフローチャートである。
【図５】連続撮影モード時におけるデジタルカメラの動作を表したフローチャートである。
【図６】撮影時における処理の流れの一例を表したフローチャートである。
【図７】撮影時における処理の流れの別の例を表したフローチャートである。
【図８】本形態のデジタルカメラの変形例の電気的構成を表した電気ブロック図である。
【図９】変形例のデジタルカメラの撮影時における処理の流れの一例を表したフローチャートである。
【符号の説明】
【００４９】
１１  デジタルカメラ
１７  レリーズボタン
１８  タッチセンサ（準備操作検知手段）
２０  表示パネル
３６  ＣＣＤ（撮影手段）
４４  画像信号処理回路
５２  表示制御回路（表示制御手段）
６１  第１画像信号処理回路
６２  第２画像信号処理回路
【図１】
2007049371.tif 000003
【図２】
2007049371.tif 000004
【図３】
2007049371.tif 000005
【図４】
2007049371.tif 000006
【図５】
2007049371.tif 000007
【図６】
2007049371.tif 000008
【図７】
2007049371.tif 000009
【図８】
2007049371.tif 000010
【図９】
2007049371.tif 000011